(57)【要約】【課題】施設から来訪者への機器の貸し出しを不要としつつ、各展示物等に対応した適切な説明を来訪者に提供することが可能な、情報配信システムを得る。【解決手段】情報配信システムは、特定の施設１内に位置する者（来館者５０）に情報を配信する情報配信システムであって、施設１内の複数の箇所に設置された複数のフェムトセル基地局５を備え、各フェムトセル基地局５ごとの情報が、各フェムトセル基地局５から、各フェムトセル基地局５のフェムトセル６内に位置する者（来館者５０）の携帯電話５１に向けて配信される。【選択図】図１
2010087649.tif 000002
【特許請求の範囲】
【請求項１】
特定の施設内に位置する者に情報を配信する情報配信システムであって、
前記施設内の複数の箇所に設置された複数の小型基地局を備え、
各前記小型基地局ごとの情報が、各前記小型基地局から、各前記小型基地局のセル内に位置する者の携帯電話に向けて配信される、情報配信システム。
【請求項２】
前記携帯電話に所定のアプリケーションソフトウェアがインストールされることにより、前記情報配信システムによる情報配信サービスを受けることが可能となり、
前記施設内において前記アプリケーションソフトウェアが実行されることにより、前記携帯電話の通信の接続先が、公衆網の基地局から前記小型基地局に強制的に切り替わる、請求項１に記載の情報配信システム。
【請求項３】
前記施設内に位置する前記携帯電話は、前記小型基地局を介して、公衆網と通信可能である、請求項２に記載の情報配信システム。
【請求項４】
前記情報には、前記施設内の案内情報が含まれる、請求項１〜３のいずれか一つに記載の情報配信システム。
【請求項５】
前記情報には、前記施設内の地図情報と、前記施設内における前記携帯電話の現在位置情報とが含まれる、請求項１〜４のいずれか一つに記載の情報配信システム。
【請求項６】
前記情報には、前記施設内に位置する者が順行すべき順路情報がさらに含まれる、請求項５に記載の情報配信システム。
【発明の詳細な説明】
【技術分野】
【０００１】
本発明は、情報配信システムに関し、特に、複数の小型基地局を用いた情報配信システムに関する。
【背景技術】
【０００２】
特定の美術館や博物館においては、来館者に専用の携帯情報端末を貸し出し、その携帯情報端末によって来館者に展示物の説明を提供することが可能な、案内システムが導入されている。
【０００３】
なお、下記特許文献１には、図書館において来館者に特定の利用者カードを貸し出し、施設内の複数の箇所に設置された超音波スピーカから発信される音声信号を、利用者カードで受信して再生することで、目的とする本の格納場所まで来館者を誘導することが可能な、誘導システムが開示されている。
【０００４】
【特許文献１】特開２００７−２６６９１９号公報
【発明の開示】
【発明が解決しようとする課題】
【０００５】
上記の特定の美術館等において、来館者に携帯情報端末を貸し出す場合には、施設が用意している携帯情報端末の個数に限りがあるため、混雑時には来館者全員に携帯情報端末を貸し出すことができない。一方、最多来館者数を想定して携帯情報端末を用意したのでは、コストの上昇を招く。また、携帯情報端末を来館者に貸し出すための人員や、それを来館者から回収するための人員を、施設内に配置する必要がある。これらの不都合は、上記特許文献１に開示された誘導システムにおいても同様に生じ得る。
【０００６】
また、上記の特定の美術館等において、展示物の説明が展示物の配列順に記録された携帯情報端末である場合には、定められた順路に従って来館者が順行しないと、実際の展示物と、携帯情報端末から再生される展示物の説明との対応関係に不整合が生じる。
【０００７】
本発明はかかる事情に鑑みて成されたものであり、施設から来訪者への機器の貸し出しを不要としつつ、各展示物等に対応した適切な説明を来訪者に提供することが可能な、情報配信システムを得ることを目的とするものである。
【課題を解決するための手段】
【０００８】
本発明の第１の態様に係る情報配信システムは、特定の施設内に位置する者に情報を配信する情報配信システムであって、前記施設内の複数の箇所に設置された複数の小型基地局を備え、各前記小型基地局ごとの情報が、各前記小型基地局から、各前記小型基地局のセル内に位置する者の携帯電話に向けて配信されることを特徴とするものである。
【０００９】
第１の態様に係る情報配信システムによれば、施設内の複数の箇所に複数の小型基地局が設置されており、各小型基地局ごとの情報が、各小型基地局から、各小型基地局のセル内に位置する者の携帯電話に向けて配信される。従って、各展示物等に対応させて小型基地局を設置し、各展示物等の説明を各小型基地局から配信することにより、施設への来訪者は、自ら持参した携帯電話を用いて、各展示物等の説明を受けることができる。その結果、施設から来訪者への機器の貸し出しを不要としつつ、各展示物等に対応した適切な説明を来訪者に提供することが可能となる。
【００１０】
本発明の第２の態様に係る情報配信システムは、第１の態様に係る情報配信システムにおいて特に、前記携帯電話に所定のアプリケーションソフトウェアがインストールされることにより、前記情報配信システムによる情報配信サービスを受けることが可能となり、前記施設内において前記アプリケーションソフトウェアが実行されることにより、前記携帯電話の通信の接続先が、公衆網の基地局から前記小型基地局に強制的に切り替わることを特徴とするものである。
【００１１】
第２の態様に係る情報配信システムによれば、施設が公衆網の基地局のセル内に含まれることにより、施設内に位置する携帯電話の通信の接続先の候補として、施設内の小型基地局のみならず公衆網の基地局が含まれる場合であっても、施設内に位置する携帯電話の通信の接続先を、公衆網の基地局ではなく施設内の小型基地局に確実に固定させることができる。従って、施設内の来訪者に対して、本発明に係る情報配信システムによる情報配信サービスを、確実に提供することが可能となる。
【００１２】
本発明の第３の態様に係る情報配信システムは、第２の態様に係る情報配信システムにおいて特に、前記施設内に位置する前記携帯電話は、前記小型基地局を介して、公衆網と通信可能であることを特徴とするものである。
【００１３】
第３の態様に係る情報配信システムによれば、携帯電話の通信の接続先が施設内の小型基地局に固定されている状況においても、施設内に位置する携帯電話は小型基地局を介して公衆網と通信可能であるため、施設内の来訪者は、自身の携帯電話を用いて、施設外の携帯電話等との間で通話や電子メールの送受信等を行うことが可能となる。
【００１４】
本発明の第４の態様に係る情報配信システムは、第１〜第３のいずれか一つの態様に係る情報配信システムにおいて特に、前記情報には、前記施設内の案内情報が含まれることを特徴とするものである。
【００１５】
第４の態様に係る情報配信システムによれば、美術館や博物館等の施設内において、来訪者は、自ら持参した携帯電話を用いて各展示物の説明を受けることができる。その結果、各展示物に対する理解が深まり、来訪者の満足度が高まることが期待できる。
【００１６】
本発明の第５の態様に係る情報配信システムは、第１〜第４のいずれか一つの態様に係る情報配信システムにおいて特に、前記情報には、前記施設内の地図情報と、前記施設内における前記携帯電話の現在位置情報とが含まれることを特徴とするものである。
【００１７】
第５の態様に係る情報配信システムによれば、施設内の地図情報や、施設内における来訪者の現在位置情報を携帯電話に提供することにより、来訪者の利便性を高めることが可能となる。例えば、来訪者は、提供された地図情報及び現在位置情報に基づき、目的とする展示物の展示場所まで速やかに移動することができる。
【００１８】
本発明の第６の態様に係る情報配信システムは、第５の態様に係る情報配信システムにおいて特に、前記情報には、前記施設内に位置する者が順行すべき順路情報がさらに含まれることを特徴とするものである。
【００１９】
第６の態様に係る情報配信システムによれば、施設内における順路情報を携帯電話に提供することにより、施設内で来訪者が順路に迷うことがなくなるため、来訪者の利便性を高めることができる。
【発明の効果】
【００２０】
本発明によれば、施設から来訪者への機器の貸し出しを不要としつつ、各展示物等に対応した適切な説明を来訪者に提供することが可能となる。
【発明を実施するための最良の形態】
【００２１】
以下、本発明の実施の形態について、図面を用いて詳細に説明する。なお、異なる図面において同一の符号を付した要素は、同一又は相応する要素を示すものとする。
【００２２】
図１は、本発明の実施の形態に係る情報配信システムが導入された施設１を示す模式図である。施設１は、美術館や博物館等の、複数の展示物等が展示されている特定の施設である。施設１には、入口２と出口３とが設けられている。施設１内には、入口２から出口３に到るまでに来館者（来訪者）が順行すべき順路４が設定されており、順路４に沿って複数の展示物（図１には示さない）が配列されている。また、施設１内には、順路４に沿って複数のフェムトセル基地局５（図１における符号５Ａ〜５Ｆ）が設置されている。本実施の形態の例では、一個の展示物に対応して、一個のフェムトセル基地局５が設置されている。なお、図１では簡単化のために６個のフェムトセル基地局５Ａ〜５Ｆのみを示しているが、フェムトセル基地局５の個数はこの例に限らず、より多数のフェムトセル基地局５が設置されていても良い。また、一個の展示物に対応して一個のフェムトセル基地局５を設置するのではなく、数個の展示物に対応して一個のフェムトセル基地局５が設置されていても良い。
【００２３】
フェムトセル基地局５の周囲には、フェムトセル基地局５の通信圏であるフェムトセル６（図１における符号６Ａ〜６Ｆ）が規定される。例えば、フェムトセル基地局５Ａの周囲にはフェムトセル６Ａが規定されており、フェムトセル基地局５Ｂの周囲にはフェムトセル６Ｂが規定されている。フェムトセル６の半径は、例えば、十メートルから数十メートル程度である。複数のフェムトセル６Ａ〜６Ｆによって、施設１内のほぼ全域（完全に全域であっても良い）がカバーされている。また、隣接するフェムトセル６同士は、互いに一部が重複している。
【００２４】
フェムトセル基地局５Ａ〜５Ｆは、施設１内に敷設されたＬＡＮ（Local Area Network）等の通信ネットワーク７によって、互いに接続されている。また、施設１内には制御装置８が設けられており、制御装置８は通信ネットワーク７に接続されている。
【００２５】
また、施設１の外部には、屋外の基地局１０が設置されている。基地局１０はアンテナ１１を有している。基地局１０の周囲には、基地局１０の通信圏であるマクロセル１２が規定されている。図１に示すように、施設１及びその周辺は、マクロセル１２内に含まれている。
【００２６】
図２は、来館者５０が施設１に入館する際に実行する動作を説明するための模式図である。来館者５０は、自身の携帯電話５１を持参している。来館者５０は、入口２において、所定のアプリケーションソフトウェア３０を基地局１０から携帯電話５１にダウンロードする。ダウンロードされたアプリケーションソフトウェア３０が携帯電話５１にインストールされることによって、携帯電話５１は、本実施の形態に係る情報配信システムによる情報配信サービスの提供を受けることが可能な状態となる。なお、アプリケーションソフトウェア３０のダウンロードは、必ずしも入口２で行われる必要はなく、来館者５０の自宅等において事前に行われていても良い。
【００２７】
アプリケーションソフトウェア３０のインストールが完了した後、来館者５０は、入口２においてアプリケーションソフトウェア３０を実行する。これにより、携帯電話５１の通信の接続先が、公衆網の基地局１０から施設１内のフェムトセル基地局５（具体的には、入口２に最も近いフェムトセル基地局５Ａ）に強制的に切り替わる。
【００２８】
図３は、接続先の切り替え処理を具体的に説明するための図である。基地局１０はＲＮＣ（Radio Network Controller）２０に接続されており、フェムトセル基地局５は、制御装置８を介してＲＮＣ２１に接続されている。ＲＮＣ２０，２１は、移動体通信事業者のコアネットワーク２２に接続されている。コアネットワーク２２は、ＨＬＲ（Home Location Register）２３等を有して構成されている。
【００２９】
ＲＮＣ２０とＲＮＣ２１とには、互いに異なる移動網コード（Mobile Network Code：ＭＮＣ）が割り当てられている。また、アプリケーションソフトウェア３０は、携帯電話の接続先の公衆移動通信網（Public Land Mobile Network：ＰＬＭＮ）として、任意の網が自動で選択されるモード（Ａｕｔｏｍａｔｉｃ  Ｍｏｄｅ）と、携帯電話自らが特定の網を指定するモード（Ｍａｎｕａｌ  Ｍｏｄｅ）とを実行する機能を有している。アプリケーションソフトウェア３０が実行されると、ＰＬＭＮの選択モードが、Ｍａｎｕａｌ  Ｍｏｄｅに設定される。また、アプリケーションソフトウェア３０には、ＰＬＭＮのＩＤに含まれるＭＮＣとして、ＲＮＣ２１のＭＮＣが設定されている。従って、アプリケーションソフトウェア３０が実行されることにより、携帯電話５１は、ＲＮＣ２１のＭＮＣが割り当てられたセル（つまりフェムトセル６）のみを対象として、通信の接続先を検索する。換言すれば、携帯電話５１は、ＲＮＣ２０のＭＮＣが割り当てられたマクロセル１２を検索対象としない。その結果、携帯電話５１の通信の接続先が、フェムトセル基地局５に強制的に固定される。
【００３０】
また、携帯電話５１がフェムトセル基地局５にＣａｍｐした後、フェムトセル基地局５から制御装置８及びＲＮＣ２１を介して、コアネットワーク２２のＨＲＬ２３に対して携帯電話５１の位置登録が行われる。これにより、コアネットワーク２２は携帯電話５１の所在位置を認識できるため、携帯電話５１の発着信やその他の付加サービスの提供を、通常通り行うことが可能となる。つまり、施設１内に位置している携帯電話５１は、フェムトセル基地局５、制御装置８、及びＲＮＣ２１を介して、コアネットワーク２２と通信可能であるため、携帯電話５１は、施設１の外部の携帯電話等との間で通話や電子メールの送受信等を行うことが可能となる。
【００３１】
なお、来館者５０が出口３から施設１の外部に退出した場合には、携帯電話５１においてアプリケーションソフトウェア３０の実行が終了される。例えば、実行の終了を促すメッセージを、出口３に最も近いフェムトセル基地局５Ｆから携帯電話５１に送信することにより、来館者５０の手動操作によってアプリケーションソフトウェア３０の実行が終了される。あるいは、アプリケーションソフトウェア３０の機能によって、携帯電話５１が全てのフェムトセル６の圏内から退出したことを条件として、アプリケーションソフトウェア３０の実行が自動的に終了される。なお、実行を終了するだけでなく、携帯電話５１からアプリケーションソフトウェア３０を手動又は自動によって削除しても良い。また、アプリケーションソフトウェア３０は、その実行が終了される直前に、ＰＬＭＮの選択モードを、Ｍａｎｕａｌ  ＭｏｄｅからＡｕｔｏｍａｔｉｃ  Ｍｏｄｅに切り替える。これにより、携帯電話５１の通信の接続先は基地局１０又はフェムトセル基地局５となり、携帯電話５１が全てのフェムトセル６の圏内から退出した時点での接続先は、基地局１０となる。
【００３２】
図４は、施設１内において来館者５０が展示物を鑑賞している様子を示す模式図である。図４に示した例では、絵画等の展示物６０Ｄ，６０Ｅが展示されている。展示物６０Ｄに対応してフェムトセル基地局５Ｄが設置されており、展示物６０Ｅに対応してフェムトセル基地局５Ｅが設置されている。
【００３３】
図５は、制御装置８の構成を示すブロック図である。制御装置８は、通信処理部８１と、通信処理部８１に接続された配信処理部８２と、配信処理部８２に接続されたデータベース８３とを備えて構成されている。また、通信処理部８１は、通信ネットワーク７及びＲＮＣ２１に接続されている。データベース８３には、施設１内の各展示物に関する複数の案内情報が、各フェムトセル基地局５に対応付けられて記憶されている。案内情報は、展示物の作者や製作年等を含む、展示物ごとに固有の情報である。
【００３４】
図４，５を参照して、来館者５０が展示物６０Ｄに近付くことにより携帯電話５１がフェムトセル基地局５Ｄのフェムトセル６Ｄ内に進入すると、位置登録のための信号Ｓ１が、携帯電話５１からフェムトセル基地局５Ｄ及び通信ネットワーク７を介して、通信処理部８１に入力される。信号Ｓ１を受けて通信処理部８１は、携帯電話５１がフェムトセル６Ｄ内に進入した旨を示す信号Ｓ２を、配信処理部８２に入力する。信号Ｓ２を受けて配信処理部８２は、フェムトセル基地局５Ｄに対応付けられている案内情報を読み出すための信号Ｓ３を、データベース８３に入力する。これにより、フェムトセル基地局５Ｄに対応付けられている案内情報（つまり展示物６０Ｄに関する案内情報）６１Ｄが、データベース８３から読み出される。
【００３５】
データベース８３から読み出された案内情報６１Ｄは、配信処理部８２を介して通信処理部８１に入力される。通信処理部８１は、入力された案内情報６１Ｄを、通信ネットワーク７及びフェムトセル基地局５Ｄを介して、携帯電話５１に向けて送信する。これにより、展示物６０Ｄに関する案内情報６１Ｄが携帯電話５１に配信される。
【００３６】
図６〜８は、携帯電話５１を模式的に示す図である。携帯電話５１は、操作スイッチ群４０、表示画面４１、マイク４２、及びスピーカ４３を有している。携帯電話５１は、アプリケーションソフトウェア３０の機能によって、配信される案内情報６１Ｄの形式として、音声情報、文字情報、画像情報、及び映像情報のうちの一つ以上を任意に選択することができる。
【００３７】
音声情報が選択された場合には、図６に示すように、展示物６０Ｄの案内に関する音声メッセージ７０が、スピーカ４３から出力される。文字情報が選択された場合には、図７に示すように、展示物６０Ｄの案内に関する文字メッセージ７１が、表示画面４１内の所定の箇所にテロップ表示される。画像情報と文字情報とが選択された場合には、図８に示すように、展示物６０Ｄの画像とその説明文とを含む電子メールが携帯電話５１によって受信され、その内容が表示画面４１に表示される。映像情報が選択された場合には、展示物６０Ｄの案内に関する映像（動画像）が、表示画面４１上で再生されるとともに、映像に伴う音声がスピーカ４３から出力される。
【００３８】
図４を参照して、展示物６０Ｄを鑑賞し終えた来館者５０が、矢印５５で示すように展示物６０Ｄから離れて次の展示物６０Ｅに近付くと、携帯電話５１はフェムトセル基地局５Ｅのフェムトセル６Ｅ内に進入することとなる。これにより、上記と同様の処理が行われて、展示物６０Ｅに関する案内情報６１Ｅが、フェムトセル基地局５Ｅから携帯電話５１に向けて配信される。
【００３９】
また、携帯電話５１は、アプリケーションソフトウェア３０の機能によって、施設１内の地図情報と、施設１内における携帯電話５１の現在位置情報とを取得することが可能である。
【００４０】
図９は、制御装置８の構成を示すブロック図である。施設１内の各エリアの地図に関する画像が予め作成されて、データベース８３内に記憶されている。例えばフェムトセル基地局５Ｄの近くに所在している来館者５０が、携帯電話５１を操作することによって地図情報を要求すると、その要求に関する信号Ｓ５が、携帯電話５１からフェムトセル基地局５Ｄ、通信ネットワーク７、及び通信処理部８１を介して、配信処理部８２に入力される。信号Ｓ５を受けて配信処理部８２は、フェムトセル基地局５Ｄの周辺エリアの地図情報を読み出すための信号Ｓ６を、データベース８３に入力する。これにより、フェムトセル基地局５Ｄの周辺エリアの地図情報６２Ｄが、データベース８３から読み出される。
【００４１】
データベース８３から読み出された地図情報６２Ｄは、配信処理部８２、通信処理部８１、通信ネットワーク７、及びフェムトセル基地局５Ｄを介して、携帯電話５１に向けて送信される。これにより、フェムトセル基地局５Ｄの周辺エリアの地図情報６２Ｄが、携帯電話５１に配信される。なお、地図情報６２Ｄには、フェムトセル基地局５Ｄの設置箇所が、携帯電話５１の現在位置として含まれている。
【００４２】
図１０は、携帯電話５１を模式的に示す図である。携帯電話５１が地図情報６２Ｄを受信することにより、フェムトセル基地局５Ｄの周辺エリアの地図に関する画像７３が、表示画面４１に表示される。また、地図上には、携帯電話５１の現在位置を示すマーク７４が表示されている。
【００４３】
なお、データベース８３に記憶されている地図情報６２Ｄには、施設１内において来館者５０が順行すべき順路情報が含まれていても良い。図１１は、携帯電話５１を模式的に示す図である。地図上には、携帯電話５１の現在位置を示すマーク７４に加えて、矢印によって順路を示す画像７５が表示されている。
【００４４】
このように本実施の形態に係る情報配信システムによれば、施設１内の複数の箇所に複数のフェムトセル基地局５が設置されており、各フェムトセル基地局５ごとに固有の情報が、各フェムトセル基地局５から、各フェムトセル基地局５のフェムトセル６内に位置している来館者５０の携帯電話５１に向けて配信される。従って、各展示物に対応させてフェムトセル基地局５を設置し、各展示物の説明を各フェムトセル基地局５から配信することにより、来館者５０は、自ら持参した携帯電話５１を用いて、各展示物の説明を受けることができる。その結果、施設１から来館者５０への機器の貸し出しを不要としつつ、各展示物に対応した適切な説明を来館者５０に提供することが可能となる。
【００４５】
また、本実施の形態に係る情報配信システムによれば、施設１が公衆網の基地局１０のマクロセル１２内に含まれることにより、施設１内に位置する携帯電話５１の通信の接続先の候補として、施設１内のフェムトセル基地局５のみならず公衆網の基地局１０が含まれる場合であっても、施設１内に位置する携帯電話５１の通信の接続先を、公衆網の基地局１０ではなく施設１内のフェムトセル基地局５に確実に固定させることができる。従って、施設１内の来館者５０に対して、本実施の形態に係る情報配信システムによる情報配信サービスを、確実に提供することが可能となる。
【００４６】
また、本実施の形態に係る情報配信システムによれば、携帯電話５１の通信の接続先が施設１内のフェムトセル基地局５に固定されている状況においても、施設１内に位置する携帯電話５１はフェムトセル基地局５を介して公衆網のコアネットワーク２２と通信可能であるため、施設１内の来館者５０は、自身の携帯電話５１を用いて、施設１の外部の携帯電話等との間で通話や電子メールの送受信等を行うことが可能となる。なお、施設１内において来館者５０が歩行しながら携帯電話５１を用いて通話を行う場合も想定されるため、通信処理部８１（図５参照）が、互いに隣接するフェムトセル基地局５間でのハンドオーバを実行する機能を有していることが望ましい。
【００４７】
また、本実施の形態に係る情報配信システムによれば、美術館や博物館等の施設１内において、来館者５０は、自ら持参した携帯電話５１を用いて、施設１内の案内情報（上記の例では各展示物の説明）を受けることができる。その結果、各展示物に対する理解が深まり、来館者５０の満足度が高まることが期待できる。
【００４８】
また、本実施の形態に係る情報配信システムによれば、施設１内の地図情報や、施設１内における来館者５０の現在位置情報を携帯電話５１に提供することにより、来館者５０の利便性を高めることが可能となる。例えば、来館者５０は、提供された地図情報及び現在位置情報に基づき、目的とする展示物の展示場所まで速やかに移動することができる。
【００４９】
また、本実施の形態に係る情報配信システムによれば、施設１内における順路情報を携帯電話５１に提供することにより、施設１内で来館者５０が順路に迷うことがなくなるため、来館者５０の利便性を高めることができる。
【００５０】
また、本実施の形態に係る情報配信システムによれば、来館者５０は、音声情報、文字情報、画像情報、及び映像情報のうち、自らの好む情報の形式を選択できるため、来館者５０の利便性を高めることができる。
【００５１】
なお、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【図面の簡単な説明】
【００５２】
【図１】本発明の実施の形態に係る情報配信システムが導入された施設を示す模式図である。
【図２】来館者が施設に入館する際に実行する動作を説明するための模式図である。
【図３】接続先の切り替え処理を具体的に説明するための図である。
【図４】施設内において来館者が展示物を鑑賞している様子を示す模式図である。
【図５】制御装置の構成を示すブロック図である。
【図６】携帯電話を模式的に示す図である。
【図７】携帯電話を模式的に示す図である。
【図８】携帯電話を模式的に示す図である。
【図９】制御装置の構成を示すブロック図である。
【図１０】携帯電話を模式的に示す図である。
【図１１】携帯電話を模式的に示す図である。
【符号の説明】
【００５３】
１  施設
４  順路
５（５Ａ〜５Ｆ）  フェムトセル基地局
６（６Ａ〜６Ｆ）  フェムトセル
１０  基地局
３０  アプリケーションソフトウェア
５０  来館者
５１  携帯電話
６０Ｄ，６０Ｅ  展示物
６１Ｄ，６１Ｅ  案内情報
６２Ｄ  地図情報
【図１】
2010087649.tif 000003
【図２】
2010087649.tif 000004
【図３】
2010087649.tif 000005
【図４】
2010087649.tif 000006
【図５】
2010087649.tif 000007
【図６】
2010087649.tif 000008
【図７】
2010087649.tif 000009
【図８】
2010087649.tif 000010
【図９】
2010087649.tif 000011
【図１０】
2010087649.tif 000012
【図１１】
2010087649.tif 000013